(57)【特許請求の範囲】
【請求項１】
アナログ方式の内線電話機と通信接続するアナログ内線回路と、デジタル方式の内線電話機と通信接続する少なくとも１個のデジタル内線回路と、アナログ方式で公衆通信回線網と通信接続するアナログ局線回路と、デジタル方式で公衆通信回線網と通信接続するデジタル局線回路と、前記各内線回路および各局線回路を任意の組み合わせで通信接続できるデジタル通話路スイッチと、前記各内線回路を介して受信したダイアル信号から通信接続相手先を検出することにより前記各局線回路および内線回路中から通信接続に使用される回路を判定して、該回路を制御する制御信号を出力する中央制御装置とを有し、前記各内線回路内には、相手の電話機までの通信接続経路で発生したエコー信号をキャンセルするエコーキャンセラ回路を備えるデジタル交換機において、
前記各内線回路と前記デジタル通話路スイッチ回路との間には、各々前記エコーキャンセラ回路を経由する通信接続経路と、前記エコーキャンセラ回路をバイパスする通信接続経路とをさらに備え、
前記中央制御装置は、デジタル通話路スイッチ回路を、前記各内線回路を経由して入力されたダイアル信号に基づいて前記デジタル通話路スイッチから通信接続相手先までの通信接続回路が全てデジタル回路であるか否かを判定し、全てデジタル回路である場合には、ダイアル信号が入力した内線回路のエコーキャンセラ回路をバイパスする通信接続経路と通信接続するように切り換えることを特徴とするデジタル交換機。
【発明の詳細な説明】
【０００１】
【発明の属する技術分野】
本発明は、相手の電話機までの通信経路で発生したエコー信号をキャンセルするエコーキャンセラを備えて内線電話器と通信接続されるデジタル交換機に関し、特に、通信接続経路が全てデジタル回線である場合にエコーキャンセラをバイパスして通信接続できるデジタル交換機に関する。
【０００２】
【従来の技術】
従来から相手の電話機までの通信経路で発生したエコー信号をキャンセルするエコーキャンセラを備えて内線電話器と通信接続されるデジタル交換機が知られている。
【０００３】
図６は、従来のデジタル交換機の構成の一例を示すブロック図である。
【０００４】
図６に示した従来のデジタル交換機６０は、アナログ方式の内線電話機２と通信接続されるアナログ内線回路３３と、デジタル方式の内線電話機３と通信接続する少なくとも１個のデジタル内線回路３４と、コードレス方式の内線電話機４と無線通信接続されるコードレス内線回路３５と、アナログ方式で公衆通信回線網５と通信接続するアナログ局線回路１５と、デジタル方式で公衆通信回線網５と通信接続するデジタル局線回路１６と、三者会議やメッセージサービス等のサービスを提供する各種サービス用回路１７と、各内線回路３３〜３５および各局線回路１５〜１６を任意の組み合わせで通信接続できるデジタル通話路スイッチ３６と、前記各内線回路３３〜３５を介して受信した内線電話機２〜４の何れか１つからのダイアル信号から通信接続相手先を検出し、その通信接続相手先によって、各局線回路１５〜１６および各内線回路３３〜３５中から通信接続に使用される回路を判定して、その回路を制御する制御信号（Ｃ４１〜Ｃ４７中の該当する信号）を出力する中央制御装置３７とを有している。
【０００５】
また、各内線回路３３〜３５内には、相手の電話機までの通信接続経路で発生したエコー信号をキャンセルするエコーキャンセラ回路５２、５５、５７を各々備える。エコーキャンセラ回路５２、５５、５７は、例えば、送信信号に対してデジタル信号処理を実施することにより擬似エコー信号を発生させ、通信接続相手の電話機から戻ってきたエコー信号と、擬似エコー信号を加算することによりエコー信号をキャンセルする回路である。
【０００６】
デジタル交換機６０は、電話局との契約によりアナログ方式かデジタル方式かの何れかの方式で公衆通信回線網５と通信接続される。また、通信接続の相手局６と通信相手の加入者電話機７がアナログ方式の契約であれば、相手局６ではアナログ方式の加入者線回路を用い、デジタル方式の契約であれば、デジタル方式の加入者線回路を用いる。
【０００７】
一般的に、相手の電話機までの通信接続経路で発生するエコー信号は、交換機内等の４線と加入者電話機等の２線とを変換するハイブリッドトランスで発生する。図６では、ハイブリッドトランス５３は、２線のアナログ内線電話機２と通信接続するためにデジタル交換機６０のアナログ内線回路３３内に設けられ、ハイブリッドトランス５８は、２線のアナログ公衆通信回線５と通信接続するためにデジタル交換機６０のアナログ局線回路１５内に設けられ、ハイブリッドトランス５９は、２線の加入者電話機７と通信接続するために相手局６内に設けられている。
【０００８】
従来のデジタル交換機６０の動作は、以下のように実施される。
【０００９】
例えば、アナログ内線電話機２から通信接続相手の加入者電話機６に電話をかける場合、アナログ内線電話機２からダイアル信号が送出されると、そのダイアル信号は、アナログ内線回路３３およびデジタル通話路スイッチ回路３６を経由して中央制御装置３７に入力される。中央制御装置３７は、入力したダイアル信号から通信接続相手先を検出し、アナログ局線回路１５を含むデジタル交換機１０内でその通信接続に用いられる全ての回路に対して、それらの回路の駆動を制御する制御信号（例えば図６中の制御信号Ｃ４１〜Ｃ４７）を選択して、制御線ＣＬを介して送出する。この制御信号により、デジタル交換機６０内では、デジタル通話路スイッチ回路３６により内線と外線との通信接続経路が設定され、通信接続に用いられる各回路が駆動される。また、その制御信号と同時か各回路が駆動された後、ダイアル信号が外線（公衆通信回線網５）に送出される。このようにして、アナログ内線電話機２から通信接続相手の加入者電話機６までの通信接続がなされるために必要となるデジタル交換機１０内の通信接続が実施される。
【００１０】
ここで、デジタル交換機１０がアナログ回線契約である場合には、公衆通信回線網５と通信接続する場合にアナログ局線回路１５が用いられ、デジタル回線契約である場合には、公衆通信回線網５と通信接続する場合にデジタル局線回路１６が用いられる。
【００１１】
また、アナログ内線電話機２からデジタル内線電話機３に内線電話をかける場合、アナログ内線電話機２からダイアル信号が送出されると、そのダイアル信号は、中央制御装置３７に入力される。中央制御装置３７では、そのダイアル信号から通信接続相手先を検出し、デジタル内線回路３４を含むデジタル交換機１０内でその通信接続に用いられる全ての回路に対して、それらの回路の駆動を制御する制御信号を選択して、制御線ＣＬを介して送出する。この制御信号により、デジタル交換機６０内のデジタル通話路スイッチ回路３６による内線間の通信接続経路が設定され、通信接続に用いられる各回路が駆動される。また、その制御信号と同時か各回路が駆動された後、ダイアル信号がデジタル内線回路３４に送出される。このようにして、アナログ内線電話機２からデジタル内線電話機３までの通信接続がなされるために必要となるデジタル交換機１０内の通信接続が実施される。
【００１２】
【発明が解決しようとする課題】
ところで、上記した従来のデジタル交換機６０で、例えば、アナログ内線電話機２からデジタル内線電話機３に内線電話をかける場合、デジタル通話路スイッチ３６から相手のデジタル内線電話機３までの通信接続経路にはハイブリッドトランスが無くなるのでエコー信号は発生しなくなる。ところが、アナログ内線回路３３内のエコーキャンセラ回路５２は駆動されるので、エコーキャンセラ回路５２は発生していないエコー信号をキャンセルする動作を行うことになり、この動作は非常に不安定な動作であることから、場合によっては通話品質を低下させることがあるという問題があった。
【００１３】
本発明は、上述した如き従来の問題を解決するためになされたものであって、エコーが発生しない通信接続では、エコーキャンセラを動作させないデジタル交換機を提供することを目的とする。
【００１５】
【課題を解決するための手段】
本発明のデジタル交換機は、アナログ方式の内線電話機と通信接続するアナログ内線回路と、デジタル方式の内線電話機と通信接続する少なくとも１個のデジタル内線回路と、アナログ方式で公衆通信回線網と通信接続するアナログ局線回路と、デジタル方式で公衆通信回線網と通信接続するデジタル局線回路と、各内線回路および各局線回路を任意の組み合わせで通信接続できるデジタル通話路スイッチと、各内線回路を介して受信したダイアル信号から通信接続相手先を検出することにより各局線回路および内線回路中から通信接続に使用される回路を判定して、該回路を制御する制御信号を出力する中央制御装置とを有し、各内線回路内には、相手の電話機までの通信接続経路で発生したエコー信号をキャンセルするエコーキャンセラ回路を備えるデジタル交換機において、各内線回路とデジタル通話路スイッチ回路との間には、各々エコーキャンセラ回路を経由する通信接続経路と、エコーキャンセラ回路をバイパスする通信接続経路とをさらに備え、中央制御装置は、デジタル通話路スイッチ回路を、各内線回路を経由して入力されたダイアル信号に基づいてデジタル通話路スイッチから通信接続相手先までの通信接続回路が全てデジタル回路であるか否かを判定し、全てデジタル回路である場合には、ダイアル信号が入力した内線回路のエコーキャンセラ回路をバイパスする通信接続経路と通信接続するように切り換えることを特徴とする。
【００１８】
【発明の実施の形態】
以下、本発明を図示した実施形態に基づいて説明する。
【００１９】
図１は、本発明の第１の実施形態のデジタル交換機の構成を示すブロック図である。なお、図１中で図６に示した従来のデジタル交換機６０と同じ機能を有するものについては、同じ符号を付与して重複する説明を省略する。
【００２０】
図１のデジタル交換機１が、図６のデジタル交換機６０と主に異なる点は、以下の点である。
【００２１】
１つめとしては、アナログ内線回路１１内には、エコーキャンセラ回路５２を経由させる通信接続経路ＤＬ１と、エコーキャンセラ回路５２をバイパスさせる通信接続経路ＢＰ１と、双方（ＤＬ１とＢＰ１）の通信接続経路を切り換えるエコーキャンセラ切替回路５１とをさらに備えた点である。
【００２２】
２つ目としては、デジタル内線回路３４内にも、エコーキャンセラ回路５５を経由させる通信接続経路ＤＬ２と、エコーキャンセラ回路５５をバイパスさせる通信接続経路ＢＰ２と、双方（ＤＬ２とＢＰ２）の通信接続経路を切り換えるエコーキャンセラ切替回路５４とを備えた点である。
【００２３】
３つ目としては、コードレス内線回路３５内に、エコーキャンセラ回路５７を経由させる通信接続経路ＤＬ３と、エコーキャンセラ回路５７をバイパスさせる通信接続経路ＢＰ３と、双方（ＤＬ３とＢＰ３）の通信接続経路を切り換えるエコーキャンセラ切替回路５６とを備えた点である。
【００２４】
４つ目としては、例えば、デジタル内線電話機３と通信接続する場合のように、各内線回路１１〜１３を経由して入力されたダイアル信号に基づいてデジタル通話路スイッチ１４から通信接続相手先までに設定される通信接続回路が全てデジタル回路である場合と、そうでない場合とを中央制御装置１８が判定する点である。また、さらに、中央制御装置１８は、通信接続回路が全てデジタル回路である場合には、ダイアル信号が入力した内線回路１１〜１３内のエコーキャンセラ切替回路５１、５４あるいは５６を、バイパスする通信接続経路ＢＰ１〜ＢＰ３側に切り換えるように、制御信号Ｃ１〜Ｃ３を制御線ＣＬを介してエコーキャンセラ切替回路５１、５４あるいは５６に送出する点である。
【００２５】
デジタル交換機１の動作については、図２のフローチャートを参照して説明する。
【００２６】
例えば、アナログ内線電話機２から外線の加入者電話機７（通信相手先）のダイヤル信号が送出された場合、中央制御装置１８が、アナログ内線回路１１を通過したダイヤル信号を受信する（ステップＳ１）。中央制御装置１８は、ダイアル信号から相手局の局番を検出する（ステップＳ２）。中央制御装置１８は、ダイアル信号および相手局の局番からデジタル交換機１内で、通信接続回路として使用される回路を判定する（ステップＳ３）。例えば、アナログ内線電話機２と加入者電話機７とが通信接続される場合には、アナログ内線回路１１とアナログ局線回路１５が使用される回路と判定される。
【００２７】
次に、中央制御装置１８は、ダイアル信号および使用される回路から、相手先への通信接続回路は全てデジタル回路であるか否かを判断する（ステップＳ４）。全てデジタル回路である場合（ステップＳ４：ＹＥＳ）には、中央制御装置１８は、アナログ内線回路１１とアナログ局線回路１５に対する通信接続動作指示に加えて、エコーキャンセラ切替回路５１を、エコーキャンセラ回路５２をバイパスさせる側、すなわち、エコーキャンセラ５２を非動作にする側に切り換える指示を出力する（ステップＳ５）。
【００２８】
それに対し、例えば、アナログ内線電話機２からデジタル内線電話機３（通信相手先）のダイヤル信号が送出された場合には、ステップＳ１からステップＳ３までは、上記と同様であるが、ステップＳ４で全てデジタル回路でない場合（ステップＳ４：ＮＯ）になる。その場合、中央制御装置１８は、アナログ内線回路１１とアナログ局線回路１５に対する通信接続動作指示に加えて、エコーキャンセラ切替回路５１を、エコーキャンセラ回路５２をバイパスさせない側、すなわち、エコーキャンセラ５２を動作させる側に切り換える指示を出力する（ステップＳ６）。
【００２９】
このようにして、本実施形態では、デジタル通話路スイッチ１４から通信接続相手先までの通信接続回路が全てデジタル回路である場合には、エコーキャンセラ回路を動作させないようにできるので、発生していないエコー信号をキャンセルするためにエコーキャンセラ回路が非常に不安定な動作を行うことが無くなり、デジタル交換機の通話品質を低下させることをなくすことができる。
【００３０】
図３は、本発明の第２の実施形態のデジタル交換機の構成を示すブロック図である。
【００３１】
図３のデジタル交換機８が、図１に示した第１の実施形態のデジタル交換機１と主に異なる点は、デジタル交換機８では、各内線回路２０〜２２内にエコーキャンセラ切替回路を備えず、その切替機能を、デジタル通話機スイッチ回路２３に実施させるように構成した点である。
そのため、アナログ内線回路１１内では、第１の実施形態のエコーキャンセラ回路５１および各通信接続経路ＢＰ１、ＤＬ１、ＥＬ１に替えて、エコーキャンセラ回路５２を経由させるようにデジタル通話路スイッチ回路２３と通信接続する通信接続経路ＥＬ１と、エコーキャンセラ回路５２をバイパスさせてデジタル通話路スイッチ回路２３と通信接続する通信接続経路ＢＬ１とを備えている。
【００３２】
また、デジタル内線回路３４内では、第１の実施形態のエコーキャンセラ回路５５および各通信接続経路ＢＰ２、ＤＬ２、ＥＬ２に替えて、エコーキャンセラ回路５５を経由させるようにデジタル通話路スイッチ回路２３と通信接続する通信接続経路ＥＬ５と、エコーキャンセラ回路５５をバイパスさせてデジタル通話路スイッチ回路２３と通信接続する通信接続経路ＢＬ２とを備えている。
また、コードレス内線回路３５内では、第１の実施形態のエコーキャンセラ回路５７および各通信接続経路ＢＰ３、ＤＬ３、ＥＬ３に替えて、エコーキャンセラ回路５７を経由させるようにデジタル通話路スイッチ回路２３と通信接続する通信接続経路ＥＬ６と、エコーキャンセラ回路５７をバイパスさせてデジタル通話路スイッチ回路２３と通信接続する通信接続経路ＢＬ３とを備えている
さらに、中央制御装置１８は、通信接続回路が全てデジタル回路である場合には、ダイアル信号が入力した内線回路１１〜１３内の通信接続経路ＥＬ４〜ＥＬ６を、バイパスする通信接続経路ＢＬ１〜ＢＬ３側に切り換えるように制御信号Ｃ１４をデジタル通話路スイッチ２３に送出する。また、それに伴い、中央制御装置１８から各内線回路２０〜２２への制御信号Ｃ１１〜Ｃ１３には、エコーキャンセラ切替回路５１、５４および５６に対する指示が無くなる。
【００３３】
その他の構成については図１の実施形態の第１のデジタル交換機１と同様であるので重複する説明を省略する。
【００３４】
第２の実施形態のデジタル交換機８の動作としては、第１の実施形態のデジタル交換機１とは、中央制御装置１９からエコーキャンセラ回路５２、５５、５７をバイパスさせるために、指示を出力する先がデジタル通話路スイッチ回路２３になり、通信接続経路ＥＬ４〜ＥＬ６から通信接続経路ＢＬ１〜ＢＬ３に切り換える指示となる。従って、フローチャートとしては、図２の第１の実施形態のフローチャートと同一であるが、切替指示の出力先が異なることになる。
【００３５】
このように、本実施形態では、デジタル通話路スイッチ２３から通信接続相手先までの通信接続回路が全てデジタル回路である場合には、簡単な通信接続経路を追加するのみで、エコーキャンセラ回路を動作させないようにできるので、コスト上昇をほとんどさせることなく、発生していないエコー信号をキャンセルするためにエコーキャンセラ回路が非常に不安定な動作を行うことが無くなり、デジタル交換機の通話品質を低下させることをなくすことができる。
【００３６】
図４は、本発明の第３の実施形態のデジタル交換機の構成を示すブロック図である。
【００３７】
図４のデジタル交換機９が、図１に示した第１の実施形態のデジタル交換機１と主に異なる点は、デジタル交換機９では、各内線回路２４〜２６内に個別にエコーキャンセラ回路およびエコーキャンセラ切替回路を備えず、そのエコーキャンセル機能を集約したエコーキャンセラトランク２７を別個に設けてデジタル通話機スイッチ回路２８と通信接続するように構成した点である。
そのため、アナログ内線回路１１内には、第１の実施形態のエコーキャンセラ回路５１および各通信接続経路ＢＰ１、ＤＬ１、ＥＬ１が無くなり、通信接続経路ＥＬ７でデジタル通話路スイッチ回路２８と通信接続するのみとなる。
【００３８】
また、デジタル内線回路３４内でも、第１の実施形態のエコーキャンセラ回路５５および各通信接続経路ＢＰ２、ＤＬ２、ＥＬ２が無くなり、通信接続経路ＥＬ８でデジタル通話路スイッチ回路２８と通信接続するのみとなる。
【００３９】
また、コードレス内線回路３５内でも、第１の実施形態のエコーキャンセラ回路５７および各通信接続経路ＢＰ３、ＤＬ３、ＥＬ３が無くなり、通信接続経路ＥＬ９でデジタル通話路スイッチ回路２８と通信接続するのみとなる。
【００４０】
新規に設けられるエコーキャンセラトランク２７は、通信接続経路ＥＬ１０によりデジタル通話路スイッチ回路２８と通信接続され、エコーキャンセラトランク２７内には、第１の実施形態のエコーキャンセラ回路５２等と同様にエコーキャンセラ機能を有するエコーキャンセラ回路６０と、エコーキャンセラ回路６０を経由させる通信接続経路ＤＬ４と、ＤＬ４と解放端とを切り換えることによりエコーキャンセラ回路６０を使用する場合と、使用しない場合を切り換えるエコーキャンセラ切替回路６１とをさらに備えた点である。
【００４１】
さらに、中央制御装置２９は、通信接続回路が全てデジタル回路である場合には、エコーキャンセラ回路６０を使用しない側に切り換えるように制御信号Ｃ２８をエコーキャンセラ切替回路６１に送出する。また、それに伴い、中央制御装置１８から各内線回路２０〜２２への制御信号Ｃ１１〜Ｃ１３には、エコーキャンセラ回路５２、５５および５７と、エコーキャンセラ切替回路５１、５４および５６に対する指示が無くなる。
【００４２】
その他の構成については図１の第１の実施形態のデジタル交換機１と同様であるので重複する説明を省略する。
【００４３】
第３の実施形態のデジタル交換機９の動作としては、第１の実施形態のデジタル交換機１とは、中央制御装置２９からエコーキャンセラ回路６０を動作させないために、指示を出力する先がエコーキャンセラトランク２７内のエコーキャンセラ切替回路６１になり、通信接続経路ＥＬ１〜ＥＬ３と通信接続経路ＢＰ１〜ＢＰ３を切り換える指示からエコーキャンセラ６０を動作させるか非動作とするかを切り換える指示となる。従って、フローチャートとしては、図２の第１の実施形態のフローチャートと同一であるが、切替指示の出力先とエコーキャンセラ回路を非動作にさせる方法が異なることになる。
【００４４】
このように、本実施形態では、デジタル通話路スイッチ２８から通信接続相手先までの通信接続回路が全てデジタル回路である場合には、エコーキャンセラトランク中のエコーキャンセラ回路を動作させないようにできるので、個々の内線回路内にエコーキャンセラ回路を設置することによってコストを上昇させることなく、発生していないエコー信号をキャンセルするためにエコーキャンセラ回路が非常に不安定な動作を行うことが無くなり、デジタル交換機の通話品質を低下させることをなくすことができる。
【００４５】
図５は、本発明の第４の実施形態のデジタル交換機の構成を示すブロック図である。
【００４６】
図５のデジタル交換機１０が、図４に示した第３の実施形態のデジタル交換機９と主に異なる点は、デジタル交換機１０では、エコーキャンセラ３０トランク内にエコーキャンセラ切替回路を備えず、その切替機能を、デジタル通話機スイッチ回路３１に実施させるように構成した点である。
【００４７】
そのため、エコーキャンセラトランク３０とデジタル通話路スイッチ回路３１とを通信接続する通信接続経路ＥＬ１１と、エコーキャンセラトランク３０をバイパスさせてデジタル通話路スイッチ回路３１に戻るように通信接続する通信接続経路ＥＬ１２とを備えている。なお、便宜上から、図５では通信接続経路ＥＬ１２をデジタル通話路スイッチ回路３１の外部に示したが、通信接続経路ＥＬ１２は、デジタル通話路スイッチ回路３１の内部回路であっても良い。
【００４８】
中央制御装置１８は、通信接続回路が全てデジタル回路である場合には、エコーキャンセラトランク３０と通信接続する通信接続経路ＥＬ１１を、バイパスする通信接続経路ＥＬ１２側に切り換えるように制御信号Ｃ３４をデジタル通話路スイッチ３１に送出する。また、それに伴い、中央制御装置３２からエコーキャンセラトランク３０への制御信号Ｃ３８には、エコーキャンセラ切替回路６１に対する指示が無くなる。
【００４９】
その他の構成については図４の第３の実施形態のデジタル交換機９と同様であるので重複する説明を省略する。
【００５０】
第４の実施形態のデジタル交換機１０の動作としては、第３の実施形態のデジタル交換機９とは、中央制御装置３２からエコーキャンセラ回路６０を動作させないために、指示を出力する先がデジタル通話路スイッチ回路３１になり、エコーキャンセラ切替回路６１を動作させるか非動作とするかを切り換える指示から通信接続経路ＥＬ１１と通信接続経路ＥＬ１２を切り換える指示となる。従って、フローチャートとしては、図２の第１の実施形態のフローチャートと同一であるが、切替指示の出力先とエコーキャンセラ回路を非動作にさせる方法が異なることになる。
【００５１】
このように、本実施形態では、デジタル通話路スイッチ３１から通信接続相手先までの通信接続回路が全てデジタル回路である場合には、簡単な通信接続経路を追加するのみで、エコーキャンセラトランク中のエコーキャンセラ回路を動作させないようにできるので、コスト上昇をほとんどさせることなく、個々の内線回路内にエコーキャンセラ回路を設置することによってコストを上昇させることなく、発生していないエコー信号をキャンセルするためにエコーキャンセラ回路が非常に不安定な動作を行うことが無くなり、デジタル交換機の通話品質を低下させることをなくすことができる。
【００５２】
なお、上記さた各実施形態では、各回路を１個づつしか描いていないが、本発明はこれに限るものではなく、任意数の内線回路、局線回路、あるいは、サービス用回路を備えるデジタル交換機に適用することができる。また、上記した各実施形態では、デジタル内線回路の一例としてコードレス内線電話機およびコードレス内線回路を示したが、コードレス内線電話回路を有していないデジタル交換機にも本発明を適用することができる。また、上記した各実施形態では、アナログ内線電話機２から発呼する場合について説明したが、デジタル内線電話機３あるいはコードレス内戦電話機４から発呼する場合にも本発明を適用することができることはいうまでもないことである。
【００５３】
【発明の効果】
上記のように本発明は、デジタル通話路スイッチから通信接続相手先までの通信接続回路が全てデジタル回路である場合には、エコーキャンセラ回路を動作させないようにできるので、発生していないエコー信号をキャンセルするためにエコーキャンセラ回路が非常に不安定な動作を行うことが無くなり、デジタル交換機の通話品質を低下させることをなくすことができる。
【００５４】
また、デジタル通話路スイッチへの簡単な通信接続経路を設定するのみで、エコーキャンセラ回路を動作させないようにできるので、本発明によるコスト上昇をほとんどさせないようにできる。
【図面の簡単な説明】
【図１】  本発明の第１の実施形態のデジタル交換機の構成を示すブロック図である。
【図２】  第１の実施形態のデジタル交換機の動作フローチャートである。
【図３】  本発明の第２の実施形態のデジタル交換機の構成を示すブロック図である。
【図４】  本発明の第３の実施形態のデジタル交換機の構成を示すブロック図である。
【図５】  本発明の第４の実施形態のデジタル交換機の構成を示すブロック図である。
【図６】  従来のデジタル交換機の構成を示すブロック図である。
【符号の説明】
１  デジタル交換機、  ２  アナログ内線電話機、  ３  デジタル内線電話機、  ４  コードレス内線電話機、  ５  公衆通信回線網、  ６  相手局、  ７  加入者電話機、  １１  アナログ内線回路、  １２  デジタル内線回路、  １３コードレス内線回路、  １４  デジタル通話路スイッチ回路、  １５  アナログ局線回路、  １６  デジタル局線回路、  １７  各種サービス回路、  １８  中央制御装置、  ５１、５４、５６  エコーキャンセラ（ＥＣ）切替回路、  ５２、５５、５７  エコーキャンセラ（ＥＣ）回路、  ５３、５８、５９  ハイブリッドトランス、  ＣＬ  制御線、  ＤＬ１〜３、ＥＬ１〜３、ＢＰ１〜３  通信接続経路、  Ｃ１〜Ｃ７  制御信号。
【図１】
0004238473.tif 000002
【図２】
0004238473.tif 000003
【図３】
0004238473.tif 000004
【図４】
0004238473.tif 000005
【図５】
0004238473.tif 000006
【図６】
0004238473.tif 000007